(57)【要約】【課題】ドレン水が開口から外に漏れるおそれを低減することができる除湿機のドレンタンクの提供。【解決手段】除湿機のドレンタンク４０は、容器本体と、蓋３０と、を備える。容器本体は、上方が開口している。蓋３０は、開口を覆うことができる。容器本体の上端周縁部は、第１縁部と、第２縁部２３ｂと、を有する。蓋３０は、嵌合部３１と、変形部３２と、を有する。嵌合部３１は、開口を閉じるときに第１縁部に嵌る。変形部３２は、開口を閉じるときに第２縁部２３ｂに押し当たることで弾性変形する。【選択図】図８
2014224650.tif 000002
【特許請求の範囲】
【請求項１】
上方が開口した本体（２０）と、
前記開口を覆うことが可能な蓋（３０）と、
を備え、
前記本体の上端周縁部（２３）は、第１縁部（２３ａ）と、第２縁部（２３ｂ）と、を有し、
前記蓋は、前記開口を閉じるときに前記第１縁部に嵌る嵌合部（３１）、前記開口を閉じるときに前記第２縁部に押し当たることで弾性変形する変形部（３２）と、を有する、
除湿機のドレンタンク（１０）。
【請求項２】
前記第２縁部の長さは、前記第１縁部の長さよりも短い、
請求項１に記載の除湿機のドレンタンク。
【請求項３】
前記第１縁部は、前記第２縁部の一端から延出する第１部分（２３ａａ）と、前記第２縁部の他端から延出しており前記第１部分と対向する第２部分（２３ａｂ）と、を含み、
持ち運ぶときに把持される把持部（５１）と、前記把持部の両端部から前記第１部分外方近傍及び前記第２部分外方近傍に向かって延びるアーム部（５２，５３）と、を有する取っ手（５０）、
を更に備える、
請求項１又は２に記載の除湿機のドレンタンク。
【請求項４】
前記本体は、前記本体に貯まったドレン水を排出するための排水部（２１ｂ）を有し、
前記上端周縁部は、前記第２縁部の反対側に位置する第３縁部（２３ｃ）を有し、
前記排水部は、前記第３縁部近傍に位置している、
請求項１から３のいずれか１項に記載の除湿機のドレンタンク。
【請求項５】
前記蓋は、樹脂製である、
請求項１から４のいずれか１項に記載の除湿機のドレンタンク。
【発明の詳細な説明】
【技術分野】
【０００１】
本発明は、除湿機のドレンタンクに関する。
【背景技術】
【０００２】
従来より、蒸発器で結露するドレン水を貯めるためのドレンタンクを備える除湿機がある。例えば、特許文献１（特開平６−３０７６７２号公報）に開示されているドレンタンクは、上方が開口した箱状に形成されている。このため、蒸発器の下方にドレンタンクを配置することで、蒸発器から滴下するドレン水をドレンタンク内に貯めることができるようになっている。
【発明の概要】
【発明が解決しようとする課題】
【０００３】
ところで、ドレンタンク内に貯まったドレン水が開口からドレンタンクの外に漏れることを防ぐために、ドレンタンクの開口を蓋で覆うことが考えられる。しかしながら、開口を覆うような蓋をドレンタンクが備えていたとしても、製造時の寸法バラツキにより、蓋で開口を閉じることができずにドレン水が開口から外に漏れてしまうおそれがある。
【０００４】
そこで、本発明の課題は、ドレン水が開口から外に漏れるおそれを低減することができる除湿機のドレンタンクを提供することにある。
【課題を解決するための手段】
【０００５】
本発明の第１観点に係る除湿機のドレンタンクは、本体と、蓋と、を備える。本体は、上方が開口している。蓋は、開口を覆うことができる。本体の上端周縁部は、第１縁部と、第２縁部と、を有する。蓋は、嵌合部と、変形部と、を有する。嵌合部は、開口を閉じるときに第１縁部に嵌る。変形部は、開口を閉じるときに第２縁部に押し当たることで弾性変形する。
【０００６】
本発明の第１観点に係る除湿機のドレンタンクでは、開口を閉じるときに蓋の変形部が弾性変形することで、蓋の寸法バラツキが吸収される。このため、ドレンタンクの製造時に寸法バラツキが生じたとしても、本体の上端周縁部と蓋との間に隙間が生じ難くなる。
【０００７】
これによって、ドレン水が開口から外に漏れるおそれを低減することができる。
【０００８】
本発明の第２観点に係る除湿機のドレンタンクは、第１観点の除湿機のドレンタンクにおいて、第２縁部の長さは、第１縁部の長さよりも短い。このため、第１縁部の延びる方向と第２縁部の延びる方向とが交差する方向にあれば、変形部が弾性変形しやすくなり、この結果、蓋の寸法バラツキが吸収されやすくなる。
【０００９】
本発明の第３観点に係る除湿機のドレンタンクは、第１観点又は第２観点の除湿機のドレンタンクにおいて、第１縁部は、第１部分と、第２部分と、を含む。第１部分は、第２縁部の一端から延出している。第２部分は、第２縁部の他端から延出しており、第１部分と対向する。また、取っ手を備えている。取っ手は、把持部と、アーム部と、を有する。把持部は、持ち運ぶときに把持される。アーム部は、把持部の両端部から第１部分外方近傍及び第２部分外方近傍に向かって延びている。
【００１０】
この除湿機のドレンタンクでは、把持部の両端部から延びるアームがそれぞれ対向して位置する第１部分外方近傍及び第２部分外方近傍に延びているため、アームはそれぞれ対向する位置にあることになる。そうすると、蓋で開口を閉じるときには、蓋を、取っ手の把持部の下方にくぐらせて本体の上端周縁部に配置する必要がある。本発明では、本体の開口を蓋で閉じるときに蓋の変形部が本体の第２縁部に押し当たることで弾性変形するため、蓋を取っ手の把持部の下方にくぐらせる作業に併せて蓋の変形部を本体の第２縁部に押し当てることで、蓋で開口を閉じることができる。
【００１１】
本発明の第４観点に係る除湿機のドレンタンクは、第１観点から第３観点のいずれかの除湿機のドレンタンクにおいて、本体は、本体に貯まったドレン水を排出するための排水部を有する。また、上端周縁部は、第２縁部の反対側に位置する第３縁部を有する。さらに、排水部は、第３縁部近傍に位置している。この除湿機のドレンタンクでは、第２縁部と第３縁部とが反対側に位置しており、排水部が第３縁部近傍に位置しているため、第２縁部と排水部とが反対側に位置していることになる。このため、ドレン水の排出時であっても、第２縁部に押し当たっている変形部に水圧がかかり難くなり、この結果、変形部が第２縁部から離れにくくなっている。
【００１２】
本発明の第５観点に係る除湿機のドレンタンクは、第１観点から第４観点のいずれかの除湿機のドレンタンクにおいて、蓋は樹脂製である。この除湿機のドレンタンクでは、蓋が樹脂製であるため、変形部の変形に樹脂の弾性を利用することができる。
【発明の効果】
【００１３】
本発明の第１観点に係る除湿機のドレンタンクでは、ドレン水が開口から外に漏れるおそれを低減することができる。
【００１４】
本発明の第２観点に係る除湿機のドレンタンクでは、蓋の寸法バラツキが吸収されやすくなる。
【００１５】
本発明の第３観点に係る除湿機のドレンタンクでは、蓋を取っ手の把持部の下方にくぐらせる作業に併せて蓋の変形部を本体の第２縁部に押し当てることで、蓋で開口を閉じることができる。
【００１６】
本発明の第４観点に係る除湿機のドレンタンクでは、変形部が第２縁部から離れにくくなっている。
【００１７】
本発明の第５観点に係る除湿機のドレンタンクでは、変形部の変形に樹脂の弾性を利用することができる。
【図面の簡単な説明】
【００１８】
【図１】本発明の一実施形態に係るドレンタンクを備えた除湿機の斜視図。
【図２】本発明の一実施形態に係るドレンタンクを備えた除湿機の斜視図。
【図３】本発明の一実施形態に係るドレンタンクを備えた除湿機の縦断面図。
【図４】除湿部の備える配管系統図の模式図。
【図５】ドレンパンの縦断面図。
【図６】ドレンタンクの斜視図。
【図７】ドレンタンクの平面図。
【図８】ドレンタンクの縦断面図（図７のVIII−VIII断面に相当）。
【図９】変形部周辺の断面図。
【図１０】排水部周辺の断面図であって、ドレン水を排出するときの容器本体及び蓋の状態を説明するための図。
【図１１】変形例Ｂに係る取っ手を説明するための図。
【図１２】変形例Ｂに係る取っ手を説明するための図。
【図１３】変形例Ｂに係る取っ手を説明するための図。
【発明を実施するための形態】
【００１９】
以下、図面を参照しながら、本発明の一実施形態に係るドレンタンク４０を備えた除湿機１０について説明する。なお、以下の実施形態は、本発明の具体例であって、本発明の技術的範囲を限定するものではない。
【００２０】
（１）除湿機の構成
図１は、除湿機１０を斜め前方から視たときの除湿機１０の斜視図である。また、図２は、除湿機１０を斜め前方から視たときの除湿機１０の斜視図であって、ドレンタンク４０が取り出された状態を示している。図１及び図２において、除湿機１０は、本体１００を備えている。除湿機１０は除湿機能と空気清浄機能とを有しており、ユーザは、空気清浄運転又は除湿運転を選択することができる。なお、ユーザは、空気清浄機能だけを選択することができるが、除湿機能を選択したときは空気清浄機能が伴うことになる。
【００２１】
（２）詳細構成
（２−１）本体
本体１００は、前面パネル１１０、ケーシング１２０、及び制御パネル１３０を有する。前面パネル１１０は、ケーシング１２０の前方に保持されている。制御パネル１３０は、ケーシング１２０の天面に固定されている。また、制御パネル１３０には、除湿機１０の運転及び停止を選択する電源スイッチや、除湿機能の実行及び中止を選択する除湿スイッチなどが搭載されており、各スイッチ操作による信号は、本体１００内に内蔵されている制御部（図示せず）に伝送される。
【００２２】
また、本体１００の側部には、室内の空気を本体１００内に吸い込むための吸込口１４０が設けられている。吸込口１４０は、前面パネル１１０の側部とケーシング１２０の側部との間に位置している。さらに、本体１００の上部には、本体１００内から室内に空気を吹き出すための吹出口１５０が設けられている。吹出口１５０は、ケーシング１２０の上部であって、制御パネル１３０の後方に位置している。
【００２３】
さらに、ケーシング１２０の側面下部には、開口１２０ａが形成されている。ケーシング１２０内には、この開口１２０ａからケーシング１２０の奥側に向って空間Ｓが形成されており、この空間Ｓにドレンタンク４０が収納されている。また、通常、開口１２０ａは、ドレンタンク４０によって閉じられている（図１及び図２参照）。
【００２４】
（２−２）フィルタ
図３は、除湿機１０の縦断面図である。フィルタ１６０は、ケーシング１２０の前面に装着されており、吸込口１４０から吸い込まれた空気は、フィルタ１６０を通過するように配置されている。フィルタ１６０は、通過する空気に含まれる埃の除去及び不快な臭い成分を吸収することができる。
【００２５】
（２−３）除湿部
図４は、除湿部１７０の備える配管系統を示す図である。図５は、ドレンパン１８０の縦断面図である。除湿部１７０は、圧縮機１７１と、凝縮器１７２と、膨張手段１７３と、蒸発器１７４と、アキュムレータ１７５と、を有する配管系統を備えている。除湿部１７０は本体１００内に収納されており、図３及び図４に示すように、蒸発器１７４の後方（空気流れ下流側）に凝縮器１７２が配置されている。
【００２６】
蒸発器１７４は、複数の円管である伝熱管１７４ａと、伝熱管１７４ａが水平方向に挿通された複数のフィン１７４ｂとを備えている。また、本実施形態では、蒸発器１７４を鉛直方向に切断した場合に、伝熱管１７４ａが空気の流れ方向に前後して２列に配置されている。
【００２７】
凝縮器１７２は、複数の円管である伝熱管１７２ａと、伝熱管１７２ａが水平方向に挿通された複数のフィン１７２ｂとを備えている。また、本実施形態では、凝縮器１７２を鉛直方向に切断した場合に、伝熱管１７２ａが空気の流れ方向に前後して１列に配置されている。
【００２８】
圧縮機１７１で圧縮されて吐出した冷媒は、凝縮器１７２へと流れて凝縮器１７２において凝縮された後、膨張手段１７３としてのキャピラリーによって減圧され、その後蒸発器１７４へと流れる。蒸発器１７４に至った冷媒は、蒸発器１７４において蒸発した後、アキュムレータ１７５を経て圧縮機１７１へと吸入される。
【００２９】
また、蒸発器１７４及び凝縮器１７２の下方には、蒸発器１７４で発生する結露水を受けるためのドレンパン１８０が配置されている。ドレンパン１８０は、本体１００内部に収納されており、第１ドレンパン１８１と、第１ドレンパン１８１の上側に配置される第２ドレンパン１８２とを有している。第１ドレンパン１８１は上方が開口した箱状に形成されており、図３に示すように、第１ドレンパン１８１の底面部は後方に向かうにつれて下方に向かって傾斜するように形成されている。さらに、図５に示すように、第１ドレンパン１８１の底面部はその中央部１８１ａが両端部１８１ｂ，１８１ｃよりも下方に突出した形状を有している。また、第１ドレンパン１８１の後面部中央下部には、排出口１８３が設けられている。第２ドレンパン１８２は、蒸発器１７４及び凝縮器１７２の直ぐ下側に配置されている。第２ドレンパン１８２は、上方が開口した箱状に形成されており、蒸発器１７４及び凝縮器１７２の前部に対向して位置する平面部１８２ｄと、平面部１８２ｄの後方に位置する傾斜部１８２ｅとを有する。傾斜部１８２ｅの底面部はその中央部１８２ａが両端部１８２ｂ，１８２ｃよりも上方に突出した形状に形成されており、傾斜部１８２ｅの両側面部には開口１８４，１８５が形成されている。
【００３０】
このような構成により、蒸発器１７４で発生したドレン水は、直ぐ下方に位置する第２ドレンパン１８２の平面部１８２ｄで受けられる。平面部１８２ｄで受けられたドレン水は、平面部１８２ｄから後ろの傾斜部１８２ｅに流れるときに、蒸発器１７４の後方に位置する凝縮器１７２の下部に接触して、凝縮器１７２を冷却する。これにより、凝縮器１７２の冷却効率を高めることができるため、除湿効率の向上を図ることができる。また、平面部１８２ｄから傾斜部１８２ｅに流れたドレン水は、中央部１８２ａから両端部１８２ｂ，１８２ｃそれぞれに向かって斜め下方に傾斜している第２ドレンパン１８２の底面部を伝い、両側面部の開口１８４，１８５から第１ドレンパン１８１の特に両端部１８１ｂ，１８１ｃへと流出する。第１ドレンパン１８１へと流出したドレン水は、両端部１８１ｂ，１８１ｃそれぞれから中央部１８１ａに向かって斜め下方に傾斜している第１ドレンパン１８１の底面部を伝い、底面部の中央へと集められつつ、後方に向かって斜め下方に傾斜している底面部の傾斜により後方へと流れ、排出口１８３からドレンタンク４０へと排出される。
【００３１】
（２−４）ドレンタンク
図６は、ドレンタンク４０の斜視図である。図７は、ドレンタンク４０の平面図である。図８は、ドレンタンク４０の縦断面図である。
【００３２】
ドレンタンク４０は、蒸発器１７４で発生したドレン水を貯めるために用いられるものであって、容器本体２０（本体）と、蓋３０と、取っ手５０と、備えている。なお、本実施形態ではドレンタンク４０は蒸発器１７４よりも後方に位置しているが、ドレンタンク４０の位置はこれに限定されず、例えばドレンタンク４０が蒸発器１７４の下側に位置していてもよい。
【００３３】
（２−４−１）容器本体
容器本体２０は、上方が開口した箱状の本体部２１と、化粧パネル２２と、を有している。本体部２１は、上方から流れてくるドレン水を貯留することができるように上方を広く開口しており、例えば、図７に示すように、平面形状が、長方形状の角形部２１ａと、角形部２１ａの一方の短辺ａ１の一方の端部から長方形状に膨出する膨出部２１ｂとを含むように構成されている。角形部２１ａの一方の長辺ａ４と、膨出部２１ｂの一方の長辺ｂ４とは、対向しないように隣接して位置している。なお、本外部の形状はこれに限定されるものではなく、例えば、角形部２１ａ及び／又は膨出部２１ｂの形状が、三角形、正方形、五角形等の多角形状であってもよく、或いは球形であってもよい。このように、本体部２１の形状は、上方から流れてくるドレン水を貯留できるように上方が開口した形状であればどのような形状でもよく、ケーシング１２０内に形成されている空間Ｓの形状によって変更されてもよい。
【００３４】
また、本体部２１の上端周縁部２３は、第１縁部２３ａと、第１縁部２３ａよりも短い第２縁部２３ｂと、第２縁部２３ｂの反対側に位置する第３縁部２３ｃと、第２縁部２３ｂの反対側に位置しており第３縁部２３ｃよりも長い第４縁部２３ｄと、第５縁部２３ｅと、を有している。第１縁部２３ａは、角形部２１ａの一方の長辺ａ４及び膨出部２１ｂの一方の長辺ｂ４に沿って位置する部分と、角形部２１ａの他方の長辺ａ２に沿って位置する部分とを含む。以下より、説明の便宜上、第１縁部２３ａのうち、角形部２１ａの一方の長辺ａ４及び膨出部２１ｂの一方の長辺ｂ４に沿って位置する部分を第１部分２３ａａといい、角形部２１ａの他方の長辺ａ２に沿って位置する部分を第２部分２３ａｂという。第２縁部２３ｂは、角形部２１ａの他方の短辺ａ３に沿って位置する。第３縁部２３ｃは、膨出部２１ｂの短辺ｂ１に沿って位置する。第４縁部２３ｄは、角形部２１ａの一方の短辺ａ１に沿って位置する。第５縁部２３ｅは、膨出部２１ｂの他方の長辺ｂ２に沿って位置する。
【００３５】
さらに、本実施形態では、膨出部２１ｂは、本体部２１内に貯まったドレン水を排出するための排水部として機能する。また、膨出部２１ｂの側面部には、その内面から内側に突出する突起部２４が設けられている。突起部２４は上端周縁部２３近傍に位置しており、突起部２４と後述する蓋３０の折曲げ部３５とは、平面視において一部重なっている。
【００３６】
化粧パネル２２は、本体部２１において第２縁部２３ｂを含む側面部の外面に固定されており、ドレンタンク４０が本体１００に収納された状態でケーシング１２０の側面と化粧パネル２２の外面とが面一となるように形成されている（図１参照）。化粧パネル２２には、内側に向かって窪んだ屈曲部２２ａが設けられており、ユーザが屈曲部２２ａに指を入れて手前に引くことによって、本体１００からドレンタンク４０が引き出される。
【００３７】
（２−４−２）蓋
図９は、蓋３０の有する変形部３２周辺の断面図である。図１０は、ドレンタンク４０の排水部周辺の縦断面図であって、ドレン水排出時の様子を示している。
【００３８】
蓋３０は、樹脂（例えばＡＢＳ樹脂等）製であって、容器本体２０の開口を覆うことができるように構成されている。また、蓋３０には、排水導入口３０ａが形成されている。排水導入口３０ａは、ドレンタンク４０が本体１００に収納された状態で、第１ドレンパン１８１の排出口１８３近傍に位置するように設けられている。これにより、第１ドレンパン１８１の排出口１８３から流れてきたドレン水が蓋３０の排水導入口３０ａから容器本体２０内へと流れ易くなる。さらに、蓋３０が容器本体２０の開口を閉じた状態で、蓋３０は、外周縁部から排水導入口３０ａに向かって斜め下方に傾斜するように構成されている。これにより、蓋３０の上面に滴下したドレン水が排水導入口３０ａに向かいやすくなるため、ドレン水が蓋３０の排水導入口３０ａから容器本体２０内へと効率よく流れるようになっている。
【００３９】
また、蓋３０は、嵌合部３１と、変形部３２とを有する。嵌合部３１は蓋３０が容器本体２０の開口を閉じるときに第１縁部２３ａに嵌ることが可能なように構成されており、変形部３２は蓋３０が容器本体２０の開口を閉じるときに第２縁部２３ｂに押し当たることで弾性変形するように構成されている。さらに、蓋３０が樹脂製であることで、変形部３２の変形に樹脂の弾性を利用することができる。なお、本実施形態では蓋３０は樹脂製であるが、変形部３２が変形可能であれば蓋３０の材質は樹脂に限定されない。
【００４０】
嵌合部３１は、本体部２１の上端周縁部２３が遊嵌状に差し込み可能な下方に開口した嵌合溝３１ａを含む。嵌合溝３１ａは、図８に示すように、蓋３０の外周縁部下面から下方に突設された外壁部３１ａａと、外壁部３１ａａに対向して位置する内壁部３１ａｂとによって構成されている。そして、本実施形態では、嵌合部３１は、上端周縁部２３のうち主に第２縁部２３ｂ以外の部分に嵌るように設けられている。すなわち、嵌合部３１は、第１縁部２３ａに嵌るように設けられているといえる。なお、本実施形態では、嵌合部３１は、蓋３０が容器本体２０の開口を閉じるように配置されたときに、第２縁部２３ｂ及び第１縁部２３ａの第２縁部２３ｂ側の端部以外の縁部に沿うように連続しているが、図７に示すように、第１縁部２３ａの第１部分２３ａａの一部及び第５縁部２３ｅの一部で分断されている。
【００４１】
変形部３２は、蓋３０の１つの端部全体が下方に湾曲して成っており、その断面がＵ字状になるように形成されている。そして、本実施形態では、蓋３０が容器本体２０の開口を閉じた状態で、変形部３２は上端周縁部２３のうち第２縁部２３ｂに対応する位置に設けられている。変形部３２は、上端周縁部２３のうち第２縁部２３ｂの内面２３ｂｆに押し当たることで、ドレンタンク４０の長手方向に（図８の矢印Ａ方向）に弾性変形する。変形部３２が容器本体２０の第２縁部２３ｂに押し当たって弾性変形し嵌合部３１が第１縁部２３ａ等に嵌ることで、蓋３０が容器本体２０に固定されるとともに、開口を塞ぐことができる。さらに、変形部３２は図８の矢印Ａ方向に弾性変形するため、本実施形態では、蓋３０を本体部２１の上端周縁部２３に上方から置いて図８の矢印Ａ方向に軽く抑えるのみで、開口を塞ぐことができる。
【００４２】
なお、図９に示すように、蓋３０において、変形部３２に隣接する部分を隣接部３３とし、変形部３２を隣接部３３に近い順にそれぞれ根元部３２ａ、湾曲部３２ｂ、当接部３２ｃ、先端部３２ｄとすると、本実施形態では、変形部３２の根元部３２ａ及び先端部３２ｄの厚さは隣接部３３の厚さよりも小さくなるように構成されており、湾曲部３２ｂの厚さは根元部３２ａの厚さよりも小さくなるように構成されており、当接部３２ｃの厚さは湾曲部３２ｂの厚さよりも小さくなるように構成されている。そして、変形部３２が容器本体２０の第２縁部２３ｂに押し当てられたときに、先端部３２ｄ及び当接部３２ｃの外面と容器本体２０の第２縁部２３ｂの内面２３ｂｆとが当接することで、当接部３２ｃ及び湾曲部３２ｂが弾性変形する。
【００４３】
さらに、蓋３０は、開閉部３４を有する。開閉部３４は、蓋３０において、蓋３０が容器本体２０の開口を閉じた状態で膨出部２１ｂに対応する位置にある部分である。開閉部３４は、本体部２１内に貯まったドレン水を排出するための排水部として機能する。また、開閉部３４は、その周囲よりも剛性が小さくなるように構成された折曲げ部３５を含む。具体的には、折曲げ部３５は、蓋３０を部分的に薄肉に形成されており、ヒンジとして機能する。折曲げ部３５は開閉部３４の長手方向に直交する方向に開閉部３４の全長にわたって延在しており、嵌合部３１は折曲げ部３５で分断されている。そして、図１０に示されるように、折曲げ部３５を中心に開閉部３４の先端部を上方に折曲げることで、容器本体２０の開口の一部が開放されるため、この開口の一部からドレン水を排出することができる。
【００４４】
また、本実施形態では、折曲げ部３５付近では嵌合部３１が部分的に分断された構造となっているため、本体部２１の上端周縁部２３と折曲げ部３５との間に隙間が生じる傾向にある。しかしながら、折曲げ部３５と本体部２１の側面部に設けられた突起部２４とが平面視において一部重なっているため、本体部２１の上端周縁部２３と折曲げ部３５との間に隙間があっても、ドレン水が外に漏れるおそれが低減されている。
【００４５】
（２−４−３）取っ手
取っ手５０は、ドレンタンク４０を持ち運ぶときに使用される起倒自在な部材であって、把持部５１と、アーム部５２，５３とを備える。把持部５１は、ドレンタンク４０を持ち運ぶときにユーザによって把持される部分であって、例えば円柱状の部材である。アーム部５２，５３は、把持部５１の両端部から本体部２１に向かって垂直に延びる一対の部材である。一対のアーム部５２，５３は、本体部２１の第１縁部２３ａの第１部分２３ａａ外方近傍及び第２部分２３ａｂ外方近傍に回転軸５４，５５を中心に回転可能に取り付けられている。このため、取っ手５０は、回転軸５４，５５周りに旋回可能となっている。そして、ドレンタンク４０がケーシング１２０の空間Ｓに収納されている場合には、図６、図７及び図８に示されるように、把持部５１の自重によって取っ手５０が本体部２１の第２縁部２３ｂ近傍に位置する状態になり、取っ手５０は蓋３０に対して寝た状態になる。一方、ドレンタンク４０を持ち運ぶときには、ユーザによって把持部５１が把持されて持ち上げられることで、取っ手５０が回転軸５４，５５周りに約９０度旋回し、アーム部５２，５３が蓋３０に対して起立した状態になる。そして、この状態で取っ手５０がさらに上方に持ち上げられることで、本体１００及び蓋３０が取っ手５０に吊り下げられた状態となり、ドレンタンク４０を持ち運ぶことができる。
【００４６】
（２−５）送風装置
送風装置１９０は、蒸発器１７４及び凝縮器１７２よりも空気流れ下流側の位置に配置されている。送風装置１９０は、シロッコファンであって、羽根１９１と、モータ１９２とを備えている。モータ１９２の駆動により羽根１９１が回転することによって、空気が回転軸１９２ａ方向に沿って吸い込まれ、羽根１９１から遠心方向に吹き出される。これにより、吸込口１４０から吸い込んだ室内の空気を、上方の吹出口１５０から吹き出させることができる。
【００４７】
（３）特徴
（３−１）
本実施形態では、蓋３０が容器本体２０の開口を閉じるときに、変形部３２が本体部２１の第２縁部２３ｂに押し当たって弾性変形する。したがって、蓋３０の寸法バラツキを吸収することができるため、ドレンタンク４０の製造時に寸法バラツキが生じたとしても、本体部２１の上端周縁部２３と蓋３０との間に隙間が生じ難くなる。
【００４８】
これによって、本体部２１内に貯まったドレン水を排出するためにドレンタンク４０が持ち歩かれたとしても、ドレン水が容器本体２０の開口から外に漏れるおそれを低減することができている。
【００４９】
また、本実施形態では、変形部３２を、蓋３０の１つの端部全体に設け、かつその断面がＵ字状になるように形成するという簡易な構成により、蓋３０を本体部２１の第２縁部２３ｂに軽く押し当てるだけで、蓋３０で開口を閉じることができている。
【００５０】
（３−２）
本実施形態では、本体部２１の第２縁部２３ｂは第１縁部２３ａよりも短くなるように構成されている。また、第１縁部２３ａの延びる方向と第２縁部２３ｂの延びる方向とは交差する方向にある。このため、このドレンタンク４０では、第２縁部２３ｂの内面２３ｂｆに押し当てられる変形部３２が弾性変形しやすい構成になっている。
【００５１】
（３−３）
本実施形態では、第１縁部２３ａの第１部分２３ａａと第２部分２３ａｂとは、対向するように位置している。また、第１部分２３ａａは第２縁部２３ｂの一端から延出している部分であり、第２部分２３ａｂは第２縁部２３ｂの他端から延出している部分である。このため、第１部分２３ａａの外方近傍及び第２縁部２３ｂの外方近傍に取り付けられている一対のアーム部５２，５３は、それぞれ対向して位置することになる。そうすると、容器本体２０の開口を蓋３０で閉じる場合には、蓋３０を把持部５１の下方にくぐらせて、蓋３０を本体部２１の上端周縁部２３の上方に配置する必要がある。ここで、本実施形態では、変形部３２が容器本体２０の第２縁部２３ｂの内面２３ｂｆに押し当たって弾性変形するため、蓋３０を把持部５１の下方にくぐらせる作業に併せて、蓋３０の変形部３２を第２縁部２３ｂに押し当てることで、上端周縁部２３と蓋３０を密着させることができ、開口を塞ぐことができている。
【００５２】
（３−４）
本実施形態では、本体部２１内に貯まったドレン水を排出するための排水部として機能する膨出部２１ｂは、第２縁部２３ｂの反対側に位置する第３縁部２３ｃを含んでいる。このため、ドレン水の排出時であっても、第２縁部２３ｂの内面２３ｂｆに押し当たっている変形部３２に水圧がかかり難くなり、変形部３２が第２縁部２３ｂから離れ難い構成になっている。
【００５３】
（４）変形例
（４−１）変形例Ａ
上記実施形態の変形部３２は、その断面がＵ字状に形成されているが、上端周縁部２３のうち第２縁部２３ｂの内面２３ｂｆに押し当たることで弾性変形するような形状であればよく、例えば、その断面が、逆Ｕ字状、Ｊ字状、Ｖ字状等に形成されていてもよい。
【００５４】
また、変形部３２は、上端周縁部２３のうち第２縁部２３ｂに押し当たることで弾性変形すればよく、例えば、変形部３２が、蓋３０において変形部３２以外の部分よりも剛性の小さい材料で構成されていてもよい。
【００５５】
（４−２）変形例Ｂ
ドレンタンク４０を持ち運ぶときに取っ手５０がぐらつくと、容器本体２０が揺れ、本体部２１内に貯まっているドレン水の水面が波打ってドレン水が飛び跳ねることで、ドレン水が本体部２１内から外に漏れるおそれがある。
【００５６】
そこで、上記実施形態の取っ手５０において、ドレンタンク４０を持ち運ぶときに取っ手５０がぐらつかないように、蓋３０が容器本体２０の開口を閉じている状態で蓋３０に対して取っ手５０を起立させたときに、取っ手５０が回転軸５４，５５周りを旋回し難くなるような構成にしてもよい。
【００５７】
例えば、図１１、図１２及び図１３に示すように、回転軸５４’，５５’の下部が下方に突出した形状に形成されており、アーム部５２’，５３’の軸受け部５６が回転軸５４’，５５’の形状に対応するように構成されていてもよい。より詳しくは、回転軸５４’，５５’の下部は、その断面の幅が下端から上方に向かって広くなるように形成されている。そして、アーム部５２’，５３’において回転軸５４’，５５’を支持する軸受け部５６は、固定部５６ａと、回転部５６ｂとを含む。固定部５６ａは、軸受け部５６の下部を構成する部分であって、回転軸５４’，５５’の下部の形状に沿うように形成されている。回転部５６ｂは、軸受け部５６の上部を構成する部分であって、回転軸５４’，５５’の最大幅よりも大きくなるように形成されている。そして、ドレンタンク４０がケーシング１２０の空間Ｓに収納されている場合には、図１１に示されるように、回転軸５４’，５５’が回転部５６ｂに位置していることで把持部５１’の自重によって取っ手５０が本体部２１の第２縁部２３ｂ近傍に位置する状態になり、取っ手５０が蓋３０に対して寝た状態になる。一方、ドレンタンク４０を持ち運ぶときには、回転軸５４’，５５’が回転部５６ｂに位置している状態でユーザによって把持部５１’が把持されて持ち上げられることで、取っ手５０が回転軸５４’，５５’周りに約９０度旋回し、図１２に示されるように、アーム部５２’，５３’が蓋３０に対して起立した状態になる。そして、この状態で取っ手５０がさらに上方に持ち上げられることで、図１３に示されるように、回転軸５４’，５５’の下部が固定部５６ａに係合し、さらに取っ手５０が持ち上げられることで、回転軸５４’，５５’の下部が固定部５６ａに固定される。
【００５８】
このように、取っ手５０が起立した状態で固定されていることで、ユーザが取っ手５０の把持部５１’を持ってドレンタンク４０を運ぶ場合に取っ手５０が旋回しないためドレンタンク４０を安定して運ぶことができる。これにより、ドレンタンク４０を運んでいるときであっても、本体部２１内に貯められたドレン水が外に漏れるおそれを低減することができる。また、本変形例では、回転軸５４’，５５’をＶ字型に切り込み、かつ、軸受け部５６を回転軸５４’，５５’の形状に対応するようにＶ字状の開口を設けるという簡易な構成により、ドレンタンク４０を運ぶ際の取っ手５０のぐらつきを防止し、水漏れを防止することができる。
【産業上の利用可能性】
【００５９】
本発明は、ドレンタンク内に貯まったドレン水が外に漏れるおそれを低減することができる発明であり、ドレンタンクを備える除湿機への適用が有効である。
【符号の説明】
【００６０】
１０      除湿機
２０      容器本体（本体）
２１ｂ    膨出部（排水部）
２３      上端周縁部
２３ａ    第１縁部
２３ａａ  第１部分
２３ａｂ  第２部分
２３ｂ    第２縁部
２３ｃ    第３縁部
３０      蓋
３１      嵌合部
３２      変形部
５０      取っ手
５１      把持部
５２，５３  アーム部
【先行技術文献】
【特許文献】
【００６１】
【特許文献１】特開平６−３０７６７２号公報
【図１】
2014224650.tif 000003
【図２】
2014224650.tif 000004
【図３】
2014224650.tif 000005
【図４】
2014224650.tif 000006
【図５】
2014224650.tif 000007
【図６】
2014224650.tif 000008
【図７】
2014224650.tif 000009
【図８】
2014224650.tif 000010
【図９】
2014224650.tif 000011
【図１０】
2014224650.tif 000012
【図１１】
2014224650.tif 000013
【図１２】
2014224650.tif 000014
【図１３】
2014224650.tif 000015